(57)【要約】【課題】ユーザの携帯電話から他の指定されたユーザへ、ユーザの変更連絡先を、簡単に最新情報の変更通知が行えるシステムを提供する。【解決手段】通信ネットワーク３を介して、複数の携帯電話２とコンピュータ（登録サーバ）１を接続し、ユーザの携帯電話２が連絡先の変更連絡を、登録サーバ１に送信し、登録サーバ１は、指定された他のユーザの携帯電話２に連絡先変更通知の可否を問い合わせ、変更可の場合は、変更を連絡し、否の場合は、連絡先変更通知を削除し、連絡先変更可の他のユーザの携帯電話２に送信するとともに、登録サーバ１のデータを更新する。他のユーザの携帯電話のアドレス帳にユーザのアドレスがある場合は、自動的に連絡先を変更し、送信することもできる。また、登録サーバ１に登録しているユーザが登録サーバ１にアクセスすることにより、他のユーザの連絡先の最新情報を得ることもできる。【選択図】  図３
2007049429.tif 000002
【特許請求の範囲】
【請求項１】
インターフェースと、インターフェースがユーザの端末装置からの連絡先変更通知要求を受信すると、連絡先変更通知要求が示す変更後の連絡先を示す連絡先変更通知を、前記送信元ユーザが指定した他のユーザの端末装置へ、前記インターフェースを介して送信する処理回路を有するコンピュータ。
【請求項２】
前記処理回路は、インターフェースを介して、連絡先変更通知要求送信元の端末装置における変更後の連絡先を通知するか否かを前記送信元ユーザが指定した他のユーザの端末装置へ問い合わせ、問い合わせに応じて変更後の連絡先の通知を受ける旨の回答をインターフェースが受信した前記他のユーザの端末装置に対して連絡先変更通知を送信する請求項１に記載のコンピュータ。
【請求項３】
前記処理回路は、インターフェースを介して受信した連絡先変更通知要求の送信元の端末装置における変更後の連絡先を通知するか否かを前記送信元ユーザが指定した他のユーザの端末装置へ問い合わせ、問い合わせたユーザの端末装置の回答が否の場合は、指定された当該ユーザの連絡先変更通知は削除するとともに、当該指定されたユーザへ削除の通知をする請求項１に記載のコンピュータ。
【請求項４】
前記処理回路は、前記送信元ユーザが指定した連絡先の端末装置が持つアドレス帳データ内に送信元のデータがあれば、送信元のユーザに対応するデータを、変更後の連絡先に自動的に更新し、送信元のデータがなければ、送信元のユーザに問い合わせ、問い合わせに応じて回答が得られれば新しくデータを作成する請求項１に記載のコンピュータ。
【請求項５】
前記インターフェースを介して、送信する連絡先変更通知の内容は前記処理回路により適宜変更される暗号鍵によって暗号化されて送信される請求項１に記載のコンピュータ。
【請求項６】
前記各端末装置が、前記コンピュータに前記インターフェースを介してアクセスすれば、前記各端末装置の連絡先の最新情報のダウンロードが可能である請求項１に記載のコンピュータ。
【請求項７】
変更通知の内容は、電話番号、メールアドレス、機種番号、顔写真等何れかである請求項１に記載のコンピュータ。
【請求項８】
複数の端末装置と、コンピュータとが、インターフェースを介して接続されており、ユーザの端末装置が連絡先を変更した場合、変更したユーザからインターフェースを介して連絡先変更通知要求を受信すると、コンピュータの処理回路は、該連絡先変更通知要求が示す変更後の連絡先を示す連絡先変更通知を、変更したユーザが指定する他のユーザの端末装置へインターフェースを介して送信する通信端末情報変更システム。
【発明の詳細な説明】
【技術分野】
【０００１】
本発明は、例えば携帯電話等の通信端末装置の電話番号やメールアドレス等の変更を管理する通信端末情報変更システムおよび前記システムを実行するコンピュータに関するものである。
【背景技術】
【０００２】
例えばユーザが、携帯電話を買い換え、電話番号やメールアドレス等の連絡先が変更になった場合、そのユーザは指定された複数のユーザに対して連絡先の変更の連絡を通知しなければならず、その変更の手続きが煩雑で、しかもその最新情報が届かない場合がある等の欠点を有する。
【０００３】
上述したように、ユーザが携帯電話等の電話番号やメールアドレス等を変更した場合、通信先に連絡する手続きは通信先が多数の場合は煩雑な場合が多く、簡単に最新情報の変更通知が行える連絡先変更システムが望まれている。
【０００４】
かかる要望に対し、特開平１４―２４７２００号公報（特許文献１）においては、図１に示すように、各携帯電話１1〜１4と電話番号通知サーバ５がネットワーク４を介して接続されており、サーバ５は各ユーザ別のユーザ確認情報と各種情報を格納したユーザファイル５4、ネットワーク４と送受信する送受信部５2とユーザファイルを管理するファイル管理部５3、制御部５1を備え、制御部５1は各携帯電話の中の電話番号が変更されたユーザからネットワーク４を介して電話番号変更情報を受けると、その電話番号変更情報の真偽を判定し、ユーザファイル５4に登録された各携帯電話機に対し、ネットワーク４を介して電話番号を通知する。この場合、電話番号変更連絡は、電話番号通知サーバ５に登録された各携帯電話のＩＤ（Ｉｄｅｎｔｉｆｉｃａｔｉｏｎ）／ＰＷ（Ｐａｓｓ  Ｗｏｒｄ）、もしくは端末固有のＩＤにより認証を行うシステムが開示されている。
【０００５】
また、特開平１５−３３０８６１号公報（特許文献２）においては、サービス提供サーバは、ユーザデータ変更通知に対して変更通知を自動的に解析し、通信業者の着信指定リストから該当するデータを検索し、データを自動的に変更でき、各移動機（端末装置）に変更連絡を通知する際に暗号化処理を行っている。ここでは、ユーザデータ変更連絡は、サ−バ側において着信指定リストを自動更新可能であり、真偽判定もなされるが、サーバ側からユーザ側の移動機へ一方的に通知されるものである。
【０００６】
【特許文献１】特開平１４−２４７２００号公報
【特許文献２】特開平１５−３３０８６１号公報
【発明の開示】
【発明が解決しようとする課題】
【０００７】
上述したように、ユーザが携帯電話等の電話番号やメールアドレス等を変更した場合、通信先に連絡する手続きは通信先が多数の場合は煩雑な場合が多く、簡単に最新情報の変更通知が行える連絡先変更システムが望まれていた。
本発明は、かかる事情に鑑みてなされたものであり、その目的は、携帯電話等の電話番号等の連絡先変更通知を簡便に行え、かつ最新情報を通知することができる通信端末連絡先変更システム、および前記システムを実行するコンピュータを提供することにある。
【課題を解決するための手段】
【０００８】
本発明のコンピュータは、インターフェースと、インターフェースがユーザの端末装置からの連絡先変更通知要求を受信すると、連絡先変更通知要求が示す変更後の連絡先を示す連絡先変更通知を、前記送信元ユーザが指定した他のユーザの端末装置へ、前記インターフェースを介して送信する処理回路を有する。
【０００９】
前記処理回路は、インターフェースを介して、連絡先変更通知要求送信元の端末装置における変更後の連絡先を通知するか否かを前記送信元ユーザが指定した他のユーザの端末装置へ問い合わせ、問い合わせに応じて変更後の連絡先の通知を受ける旨の回答をインターフェースが受信した他のユーザの端末装置に対して連絡先変更通知を送信する。
【００１０】
前記処理回路は、インターフェースを介して受信した連絡先変更通知要求の送信元の端末装置における変更後の連絡先を通知するか否かを前記送信元ユーザが指定した他のユーザの端末装置へ問い合わせ、問い合わせたユーザの端末装置の回答が否の場合は、指定された当該ユーザの連絡先変更通知は削除するとともに、当該指定されたユーザへ削除の通知をする。
【００１１】
前記処理回路は、前記送信元ユーザが指定した連絡先の端末装置が持つアドレス帳データ内に送信元のデータがあれば、送信元のユーザに対応するデータを、変更後の連絡先に自動的に更新し、送信元のデータがなければ、送信元のユーザに問い合わせ、問い合わせに応じて回答が得られれば新しくデータを作成する。
【００１２】
各端末装置が、前記コンピュータに前記インターフェースを介してアクセスすれば、前記各端末装置の連絡先の最新情報のダウンロードが可能である。
【００１３】
好ましくは、前記インターフェースを介して、送信する連絡先変更通知の内容は前記処理回路により適宜変更される暗号鍵によって暗号化されて送信される。
【００１４】
本発明の、通信端末情報変更システムは、複数の端末装置と、コンピュータとが、インターフェースを介して接続されており、ユーザの端末装置が連絡先を変更した場合、変更したユーザからインターフェースを介して連絡先変更通知要求を受信すると、コンピュータの処理回路は、該連絡先変更通知要求が示す変更後の連絡先を示す連絡先変更通知を、変更したユーザが指定する他のユーザの端末装置へインターフェースを介して送信する。
【発明の効果】
【００１５】
本発明によれば、通信端末装置が、連絡先情報を変更する場合、コンピュータ（登録サーバ）に通知するだけで、他のユーザに自動的に最新の情報を通知することができる。また、他のユーザに連絡先変更を通知し、変更の可否を問い合わせることにより、他のユーザにおいて変更についての可否の選択の自由を可能とする。
【発明を実施するための最良の形態】
【００１６】
図２は、本発明の実施形態の１例を示す全体構成図である。
図２に示すように、コンピュータ（登録サーバ）１は、インターフェース（I／Ｆ）１１、入力部１２、出力部１３、メモリ１４、処理回路（ＣＰＵ）１５、表示部１６、操作部１７、照合部１８、画像処理部１９および暗号処理部２９を有し、これらがデータ線２０を介して接続されている。
【００１７】
インターフェース（I／Ｆ）１１は、通信ネットワーク３を介して外部との間で情報を送受信する。入力部１２は、例えばインターフェース（I／Ｆ）１１を介して端末装置である携帯電話２Ａからの情報を入力し、出力部１３は、インターフェース（I／Ｆ）１１を介して、他の端末装置である携帯電話２Ｂなどへ情報を出力する。
【００１８】
メモリ１４は、処理回路１５によって実行されるプログラム、並びに処理回路１５の処理に用いられるデータを記憶する。データは、例えば、電話番号ＤＢ、メールアドレスＤＢ、機種番号ＤＢ、顔写真ＤＢなどのデータベースから構成される。処理回路１５は、メモリ１４から読み出したプログラムを実行して、連絡先変更通知の動作を統括的に制御する。表示部１６は、処理回路１５からの表示信号に応じた画面を表示する。
【００１９】
操作部１７は、キーボード、マウス、タッチパネルなどであり、ユーザの操作に応じた操作信号を処理回路１５に出力する。照合部１８及び画像処理部１9は、処理回路１５により、入出力する情報を、メモリ１４のデータベースと照合する。暗号処理部２９は処理回路１５により、入出力する情報を適宜変更し、暗号鍵による暗号化処理を行う。
【００２０】
次に、端末装置である携帯電話２Ａ、２Ｂ等について説明する。携帯電話２Ａ、２Ｂは、通信インターフェース（Ｉ／Ｆ）２１、入力部２２、出力部２３、処理回路（ＣＰＵ）２５、表示部２６、操作部２７、画像処理部２８から構成され、これらがデータ線２０を介して接続されている。
【００２１】
インターフェース（I／Ｆ）２１は、通信ネットワーク３を介して外部との間で情報を送受信する。入力部２２は、インターフェース（I／Ｆ）２１を介して他の携帯電話やコンピュータ（登録サーバ）１からの情報を入力し、出力部２３は、インターフェース（I／Ｆ）２１を介して、コンピュータ（登録サーバ）１や他の携帯電話へ情報を出力する。メモリ２４は、処理回路２５によって実行されるプログラム、電話番号ＤＢ、メールアドレスＤＢ、機種番号ＤＢ、顔写真ＤＢなどのデータベースを収納する。
【００２２】
処理回路２５は、メモリ２４から読み出したプログラムを実行して、連絡先変更通知の動作を統括的に制御する。表示部２６は、必要に応じて諸情報を表示し、処理回路２５からの表示信号に応じた画面を表示する。操作部２７は、キーボード、マウス、タッチパネルなどであり、ユーザの操作に応じた操作信号を処理回路２５に出力する。画像処理部２８は、顔写真などの画像情報を、処理回路２５によりメモリ２４のデータベースに格納する。
【００２３】
図３は、本発明の実施の形態をイメージ図で示すもので、図３において、１はコンピュータ（以下、登録サーバ１と云う）、２Ａ、２Ｂ、２Ｃ、・・・２Ｚは端末装置（実施形態では携帯電話）を示し、通信ネットワーク３により接続されている。携帯電話２A、２Ｂ、２Ｃ、・・・２Ｚおよび登録サーバ１には例えば電話番号、メールアドレス、機種番号および顔写真等が登録されている。
【００２４】
例えば、携帯電話２Ａにおいて、機種交換などで連絡先が変わった場合、携帯電話２Ａから登録サーバ１に連絡先変更を通信ネットワーク３により通知する。登録サーバ１は、携帯電話２Ａの連絡先変更内容を受信したら、受信した連絡先が登録された連絡先と一致した場合に、他の携帯電話２Ｂ、・・・２Ｚに通信ネットワーク３を介して、携帯電話２Ａの変更された連絡先を、他の携帯電話２Ｂ、・・・・２Ｚへ自動的に配信する。
【００２５】
次に、本発明の実施の形態の具体的な動作について、図４のフローチャートで順次説明する。例えば、Ａ氏の携帯電話２Ａがメールアドレスを変更した場合について説明する。
Ａ氏は、携帯電話２Ａにおいて、処理回路２５によりメールアドレスＤＢからメールアドレスを呼び出し、当該メールアドレスを変更する（ステップ１、ＳＴ１）。
【００２６】
携帯電話２Ａは、インターフェース（Ｉ／Ｆ）２１から通信ネットワーク３を介して、メールアドレス変更を登録サーバ１へ送信し、通知する（ＳＴ２）。
登録サーバ１の処理回路１５は、Ａ氏の連絡先変更情報をインターフェース（Ｉ／Ｆ）１１を介して受信すると、メモリ１４からA氏の携帯電話２Ａのメールアドレスを呼び出し、登録されているメモリＤＢと照合（マッチング）し確認する（ＳＴ３）。処理回路１５は、Ａ氏のメールアドレスが、確認されたなら、当該メールアドレスの変更情報を更新する（ＳＴ４）。
次に、処理回路１５は、Ａ氏が指定した他のユーザの連絡先を呼び出し、Ａ氏の携帯電話２Ａのメールアドレスの変更情報を携帯電話２Ｂ、・・・２Ｚへ通知する（ＳＴ５）。
次に、変更情報配信先へＡ氏のメールアドレス変更の通知をする（ＳＴ６）。
【００２７】
Ｂ氏等の携帯電話２Ｂ、２Ｄ、・・・２Ｚは、インターフェース（Ｉ／Ｆ）２１が、Ａ氏の携帯電話２Ａのメールアドレス変更情報通知を受信すると、処理回路２５は、変更されたＡ氏のメールアドレスを表示するとともに、アドレス帳にデータがあれば変更する。あるいは、「ＪＡＶＡ（Sun Microsystems社の登録商標）」機能により自動的に変更内容を更新する（ＳＴ７）。
【００２８】
図５は、本発明の他の実施形態を示すフローチャートで、このフローチャートで本発明を具体的な動作について順次説明する。
携帯電話２Ａは、インターフェース（Ｉ／Ｆ）２１から通信ネットワーク３を介して、メールアドレス変更を登録サーバ１へ送信、通知し（ＳＴ２）、登録サーバ１の処理回路１５は、Ａ氏の連絡先変更情報をインターフェース（Ｉ／Ｆ）１１を介して受信すると、メモリ１４からA氏の携帯電話２Ａのメールアドレスを呼び出し、登録されているメモリＤＢと照合（マッチング）し確認する（ＳＴ３）。次いで処理回路１５は、Ａ氏のメールアドレスが、確認されたなら、当該メールアドレスのＤＢを変更情報に更新する（ＳＴ４）。ここまでは図４で説明した実施形態と同じである。
【００２９】
本実施形態では次に、処理回路１５により、Ａ氏が指定した携帯電話２Ｂ、・・・２Ｚに、Ａ氏の携帯電話２Ａのメールアドレス変更の可否を問い合わせ（ＳＴ８）、上記の問い合わせに対する回答を受信する（ＳＴ９）。
【００３０】
処理回路１５は、上記の問い合わせに対して、例えばＣ氏の携帯電話２Ｃにおいて、Ａ氏のメールアドレス変更の問い合わせに対して更新が否の場合、その旨をＡ氏に通知し、Ａ氏の携帯電話の処理回路２５は、Ｃ氏の携帯電話への変更されたメールアドレスの配信先を削除する（ＳＴ１０）。さらに、処理回路２５は、登録サーバ１へ、Ａ氏の変更されたメールアドレスの通知先リストの中からＣ氏を削除する旨の情報を登録サーバ１に通知する（ＳＴ１１）。登録サーバ１は情報を削除する（ＳＴ１２）。
【００３１】
登録サーバ１の処理回路１５は、Ａ氏のメールアドレス変更の問い合わせに対して、変更の更新が可の変更情報配信先であるＢ氏等の携帯電話２Ｂ、２Ｄ、・・・２Ｚへ、インターフェース（Ｉ／Ｆ）１１から通信ネットワーク３を介してＡ氏の変更アドレスを送信し通知する（ＳＴ６）。
【００３２】
Ｂ氏等の携帯電話２Ｂ、２Ｄ、・・・２Ｚは、インターフェース（Ｉ／Ｆ）２１が、Ａ氏の携帯電話２Ａのメールアドレス変更情報通知を受信すると、処理回路２５は、変更されたＡ氏のメールアドレスを表示するとともに、アドレス帳にデータがあれば変更する。あるいは、「ＪＡＶＡ（Sun Microsystems社の登録商標）」機能により自動的に変更内容を更新する（ＳＴ７）。
【００３３】
以上はＡ氏のメールアドレスの変更通知について詳述したが、変更通知の内容は、電話番号、メールアドレス、機種番号、顔写真等何れであっても可能である。
【００３４】
変形例として、例えば、各携帯電話の処理回路１５は、自動配信の機能を使用しなくとも、２Ａの携帯電話以外の携帯電話２Ｂ、２Ｃ、・・・２Ｚから登録サーバ１へアクセスすれば最新情報のダウンロードが可能である。
また、例えば、各携帯電話２Ｂ、２Ｃ、・・・２Ｚの処理回路２５が、すでに登録サーバ１に、変更された２Ａの携帯電話のメールアドレスを登録していれば、新たに登録サーバ１から配信しなくとも、登録サーバ１内だけで情報を自動的に更新できる。
【００３５】
さらに、変形例として、例えば、新規の携帯電話２Ｘからメールアドレス等の連絡先を通知する場合、登録サーバ１のアクセスコード（ＩＤ／ＰＷ）へ連絡先を通知することで、２Ｘ以外の他のユーザの携帯電話から新規の携帯電話２Ｘのメールアドレス等の連絡先をダウンロードすることが可能である。
【産業上の利用可能性】
【００３６】
本発明は、例えば携帯電話等の通信端末装置の連絡先情報変更システムに適用できる。
【図面の簡単な説明】
【００３７】
【図１】従来の電話番号変更連絡通知システムを示す構成図である。
【図２】本発明の、実施形態に係わる全体構成図である。
【図３】本発明の、実施形態に係わるイメージ図である。
【図４】本発明の、実施形態に係わる動作を示すフローチャートである。
【図５】本発明の、他の実施形態に係わる動作を示すフローチャートである。
【符号の説明】
【００３８】
１          登録サーバ
２Ａ        携帯電話
２Ｂ        携帯電話
２Ｃ        携帯電話
２Ｘ        携帯電話
２Ｚ        携帯電話
３          通信ネットワーク
３          登録サーバ
４          ネットワーク
５          電話番号通知サーバ
１１−１４  各携帯電話機
１１        インターフェース
１２        入力部
１３        出力部
１４        メモリ
１５        処理回路
１６        表示回路
１７        操作部
１８        照合部
１９        暗号処理部
２０        データ線
２１        インターフェース
２２        入力部
２３        出力部
２５        処理回路
２４        メモリ
２６        表示部
２７        操作部
２８        画像処理部
５１        制御部
５３        ファイル管理部
５４        ユーザファイル
ＤＢ        メールアドレス
ＤＢ        顔写真
ＤＢ        機種番号
ＤＢ        電話番号
【図１】
2007049429.tif 000003
【図２】
2007049429.tif 000004
【図３】
2007049429.tif 000005
【図４】
2007049429.tif 000006
【図５】
2007049429.tif 000007